(57)【要約】【課題】図形が示すグループを構成するデータ量の大小をわかりやすく表示するデータ量表示装置を提供する。【解決手段】画像データファイルを格納したフォルダを示す図形、すなわち、フォルダアイコン１〜フォルダアイコン８を、画面左から順に時系列に整列させて表示する。フォルダアイコン１〜フォルダアイコン８を、それぞれのフォルダ内に格納されている画像データファイル数に応じた高さに表示する。フォルダアイコン１〜フォルダアイコン８を、それぞれのフォルダの名称「２００１．３」、「２００１．４」、…、「２００１．９」、「２００１．１０」とともに表示する。【選択図】図２
2004078484.tif 000002
【特許請求の範囲】
【請求項１】
記憶されているデータのグループを示す図形を生成する図形生成手段と、
前記図形が示すグループを構成するデータ量に応じて、前記図形の形を変える図形変形手段と、
前記図形変形手段による変形後の図形を表示する表示手段とを備えることを特徴とするデータ量表示装置。
【請求項２】
請求項１に記載のデータ量表示装置において、
前記図形生成手段によって複数の図形が生成されているとき、前記複数の図形が示す複数のグループをそれぞれ構成するデータの新旧に応じて、前記図形を整列させる図形整列手段をさらに備え、
前記表示手段は、前記図形整列手段による整列後の図形を表示することを特徴とするデータ量表示装置。
【請求項３】
請求項１または２に記載のデータ量表示装置において、
前記図形変形手段は、前記グループを構成するデータサイズもしくはデータファイル数に応じて前記図形の形を変えることを特徴とするデータ量表示装置。
【請求項４】
請求項１〜３のいずれかに記載のデータ量表示装置において、
前記グループは、それぞれ共通の名称が付与されたデータ記憶領域に記憶されているデータによって構成されることを特徴とするデータ量表示装置。
【請求項５】
請求項１〜３のいずれかに記載のデータ量表示装置において、
前記グループは、それぞれ生成された日時が所定範囲内のデータによって構成されることを特徴とするデータ量表示装置。
【請求項６】
記憶されているデータの新旧に応じて前記データに対する第１のグループ分けを行い、前記第１のグループ分けによって得られる複数のグループをそれぞれ示す第１の図形群を生成する第１の図形群生成手段と、
前記第１の図形群が示す複数のグループをそれぞれ構成するデータ量に応じて、前記第１の図形群の図形の形をそれぞれ変える第１の図形変形手段と、
前記記憶されているデータの新旧に応じて前記データに対する第２のグループ分けを行い、前記第２のグループ分けによって得られる複数のグループをそれぞれ示す第２の図形群を生成する第２の図形群生成手段と、
前記第２の図形群が示す複数のグループをそれぞれ構成するデータ量に応じて、前記第２の図形群の図形の形をそれぞれ変える第２の図形変形手段と、
前記第１の図形変形手段による変形後の図形を第１のウィンドウに表示するとともに、前記第２の図形変形手段による変形後の図形を第２のウィンドウに表示する表示手段とを備えることを特徴とするデータ量表示装置。
【請求項７】
請求項６に記載のデータ量表示装置において、
前記第１の図形群生成手段は、前記記憶されているデータの生成日時に応じて第１の期間ごとにグループ分けしたグループを示す図形群を生成し、
前記第２の図形群生成手段は、前記記憶されているデータの生成日時に応じて前記第１の期間より長い第２の期間ごとにグループ分けしたグループを示す図形群を生成することを特徴とするデータ量表示装置。
【請求項８】
記憶されているデータのグループを示す図形を生成する図形生成処理と、
前記図形が示すグループを構成するデータ量に応じて、前記図形の形を変える図形変形処理と、
前記変形処理後の図形を表示する表示処理とをコンピュータ装置で実行することを特徴とするデータ量表示用プログラム。
【発明の詳細な説明】
【０００１】
【発明の属する技術分野】
本発明は、記憶されているデータ量を示すデータ量表示装置、およびデータ量表示用プログラムに関する。
【０００２】
【従来の技術】
パーソナルコンピュータ（以下、パソコンと呼ぶ）などでデータのグループを示すものとして、フォルダアイコンが知られている。ＧＵＩ（Ｇｒａｐｈｉｃａｌ　Ｕｓｅｒ　Ｉｎｔｅｒｆａｃｅ）を利用するパソコンでは、上記フォルダアイコンを表示装置に表示し、表示されたフォルダアイコンをポインティングデバイスなどを用いて選択することにより、選択したデータグループ（フォルダ）内に設けられているデータグループ（フォルダ）、データファイル、およびプログラムファイルなどを示すアイコンを表示画面にさらに表示させる。特開平８−９５７４０号公報には、このようなフォルダアイコンが示すグループに記憶されているファイル数を示すようにしたデータ量表示装置が開示されている。この装置では、フォルダアイコンに内部図形を表示させ、当該フォルダアイコンが示すグループ（フォルダ）に記憶されているファイル数が多いほど、上記内部図形を細かく表示する。
【０００３】
【発明が解決しようとする課題】
上述した従来技術によるデータ量表示は、複数のフォルダアイコンを表示させたとき、これら複数のフォルダアイコンが示すグループ（フォルダ）にそれぞれ記憶されているファイル数の大小関係がわかりにくい。とくに、ファイル数が多いと内部図形が細かくなるので、内部図形の数を数えることが困難になる。
【０００４】
本発明の目的は、グループを構成するファイル数やデータサイズなど、図形（アイコン）が示すグループのデータ量の大小をわかりやすく示すようにしたデータ量表示装置、およびデータ量表示用プログラムを提供することにある。
【０００５】
【課題を解決するための手段】
本発明によるデータ量表示装置は、記憶されているデータのグループを示す図形を生成する図形生成手段と、図形が示すグループを構成するデータ量に応じて、図形の形を変える図形変形手段と、図形変形手段による変形後の図形を表示する表示手段とを備えることにより、上述した目的を達成する。
上記データ量表示装置はさらに、図形生成手段によって複数の図形が生成されているとき、複数の図形が示す複数のグループをそれぞれ構成するデータの新旧に応じて、図形を整列させる図形整列手段を備えてもよく、この場合の表示手段は、図形整列手段による整列後の図形を表示することもできる。
図形変形手段は、グループを構成するデータサイズもしくはデータファイル数に応じて図形の形を変えることもできる。
グループは、それぞれ共通の名称が付与されたデータ記憶領域に記憶されているデータによって構成することもできる。
グループは、それぞれ生成された日時が所定範囲内のデータによって構成することもできる。
【０００６】
本発明によるデータ量表示装置は、記憶されているデータの新旧に応じてデータに対する第１のグループ分けを行い、第１のグループ分けによって得られる複数のグループをそれぞれ示す第１の図形群を生成する第１の図形群生成手段と、第１の図形群が示す複数のグループをそれぞれ構成するデータ量に応じて、第１の図形群の図形の形をそれぞれ変える第１の図形変形手段と、記憶されているデータの新旧に応じてデータに対する第２のグループ分けを行い、第２のグループ分けによって得られる複数のグループをそれぞれ示す第２の図形群を生成する第２の図形群生成手段と、第２の図形群が示す複数のグループをそれぞれ構成するデータ量に応じて、第２の図形群の図形の形をそれぞれ変える第２の図形変形手段と、第１の図形変形手段による変形後の図形を第１のウィンドウに表示するとともに、第２の図形変形手段による変形後の図形を第２のウィンドウに表示する表示手段とを備えることにより、上述した目的を達成する。
第１の図形群生成手段は、記憶されているデータの生成日時に応じて第１の期間ごとにグループ分けしたグループを示す図形群を生成してもよく、この場合の第２の図形群生成手段は、記憶されているデータの生成日時に応じて第１の期間より長い第２の期間ごとにグループ分けしたグループを示す図形群を生成することもできる。
【０００７】
本発明によるデータ量表示用プログラムは、記憶されているデータのグループを示す図形を生成する図形生成処理と、図形が示すグループを構成するデータ量に応じて、図形の形を変える図形変形処理と、変形処理後の図形を表示する表示処理とをコンピュータ装置で実行することにより、上述した目的を達成する。
【０００８】
【発明の実施の形態】
（第一の実施の形態）
以下、図面を参照して本発明の実施の形態を説明する。
図１は、本発明の第一の実施の形態によるデータ量表示装置を構成するパーソナルコンピュータ（パソコン）のブロック図である。パソコンは、ＣＰＵ１１と、メモリ１２と、データストレージ装置１３と、操作部材１４と、表示回路１５と、ディスプレイ装置１６と、データ読取り装置１７とを有する。メモリ１２は、ＣＰＵ１１の命令によってデータを一時格納したり、ＣＰＵ１１がプログラムを実行する際の作業領域として使用される。ストレージ装置１３は、ＣＰＵ１１の命令によってプログラムをインストールする場合のプログラム記録領域として使用される他、データを保存する場合のデータ記録領域として使用される。操作部材１４は、キーボードやポインティングデバイスなどによって構成され、操作者による操作に応じた操作信号をＣＰＵ１１へ送出する。
【０００９】
表示回路１５は、ＣＰＵ１１の命令によって表示用の画像データを生成する。ディスプレイ装置１６は、表示回路１５によって生成された画像データによる画像を表示する。読取り装置１７は、デジタルカメラ（不図示）などによって画像データが記録された記録媒体から画像データをパソコンに読込むためのデータ読取り装置である。ここでは、メモリカード２１を読取り装置１７に装着した上でＣＰＵ１１がデータ読取り命令を実行すると、命令に応じてメモリカード２１内に記憶されているデータをメモリ１２に格納したり、データストレージ装置１３に格納したりする。
【００１０】
第一の実施の形態によるデータ量表示装置は、デジタルカメラ（不図示）によって撮影された画像データを読込み、読み込んだ画像データ量を表示するものである。
【００１１】
デジタルカメラ（不図示）で撮影した画像データ（ファイル）をパソコンで読み込む（取り込む）方法は、上述したように、デジタルカメラに装着されているメモリカード２１をデジタルカメラから取り外してパソコンの読取り装置１７に装着し、パソコンがメモリカード２１から画像データを直接読取る方法がある。この他にも、パソコンおよびデジタルカメラ間をインターフェイス回路（不図示）を介して接続し、デジタルカメラに装着されているメモリカード２１内の画像データをデジタルカメラからパソコンへ転送する方法がある。本実施の形態では、いずれの方法を用いてもよい。
【００１２】
操作者は、メモリカード２１内の画像データをパソコンのストレージ装置１３へ取り込み、取り込んだ画像データに対してグループ分けを行う。グループ分けは、画像データの撮影日時に応じて、当該画像データ（ファイル）を記録するフォルダを分けるものである。第一の実施の形態では、画像データファイルの格納位置（フォルダ）を分けることをグループ分けと呼ぶ。
【００１３】
操作者は、操作部材１４を操作することにより、画像データを格納するフォルダを生成する。記録フォルダの名称は、たとえば、「２００１．３」、「２００１．４」、…、「２００１．９」、「２００１．１０」とする。このように、撮影日時に対応する月ごとのフォルダを生成し、各画像データを該当するフォルダ内に記録する。フォルダの生成および生成したフォルダ内に画像データ（ファイル）を格納する処理は、操作者が行う。
【００１４】
本発明は、このようなグループ分けを示す図形の表示に特徴を有する。本実施の形態では、図形を長方形のアイコンとして表す例を説明する。
【００１５】
図２は、データ量表示装置がディスプレイ装置１６に表示した画面の例を示す図である。図２において、フォルダアイコン１は、２００１年３月に撮影された画像データファイルを格納したフォルダを示すアイコンである。フォルダアイコン２は、２００１年４月に撮影された画像データファイルを格納したフォルダを示すアイコンである。以下同様に、フォルダアイコン３〜フォルダアイコン８は、それぞれ２００１年５月〜２００１年１０月に撮影された画像データファイルを格納したフォルダを示すアイコンである。
【００１６】
フォルダアイコン１〜フォルダアイコン８は、画面左から順に時系列に整列されている。フォルダアイコン１〜フォルダアイコン８の高さは、それぞれのフォルダ内に格納されている画像データファイル数に応じた高さに表示されている。ファイル数が最も少ないフォルダアイコン３の高さが最も低く、ファイル数が最も多いフォルダアイコン２の高さが最も高い。フォルダアイコン１〜フォルダアイコン８は縦に長い形状なので、それぞれフォルダの名称「２００１．３」、「２００１．４」、…、「２００１．９」、「２００１．１０」が縦に表示されている。
【００１７】
操作者は、図２の画面がディスプレイ装置１６に表示されている状態で操作部材１４を操作し、閲覧したい画像データファイルが格納されているフォルダを示すアイコンをアイコン１〜アイコン８の中から選択する。フォルダアイコンの高さが高い月は、撮影駒数が多いことを示す。操作者（デジタルカメラの撮影者）は、当該月に何らかのイベントに参加した可能性が高い。画像データファイル数が多い月のフォルダアイコンを高く表示することで、撮影駒数が多い月がすぐにわかり、操作者は、その月から参加したイベントを思い出すことができる。イベントがわかれば、そのアイコンが示すフォルダに格納されている画像データファイルに何が写っているかを思い出すきっかけになる。
【００１８】
操作者が操作部材１４を操作することによってポインタＰをフォルダアイコン２に重ね、フォルダアイコン２を選択する操作を行うと、ＣＰＵ１１は、アイコン２が示すフォルダ内に記録されている全ての画像データ（ファイル）について、各画像データ（ファイル）をそれぞれ示すアイコン（不図示）をディスプレイ装置１６にさらに表示させる。画像データファイル数が多い月のフォルダアイコンを高く表示することで、ポインタＰをフォルダアイコン２に重ねやすくなる。
【００１９】
操作者が操作部材１４を操作することによってポインタＰを任意の画像データファイルを示すアイコン（不図示）に重ね、このアイコンを選択する操作を行うと、ＣＰＵ１１は、選択されたアイコン（不図示）が示す画像データ（ファイル）をデータストレージ装置１３から読出し、読出した画像データによる画像をディスプレイ装置１６に表示させる。
【００２０】
このように、操作者がアイコンを選択する操作を行うだけで、任意の画像データファイルによる画像をディスプレイ装置１６で閲覧できる。
【００２１】
図３は、データ量表示装置が図２の表示を行うとき、ＣＰＵ１１によって行われる処理の流れを説明するフローチャートである。図３による処理は、操作者が操作部材１４を操作することにより、上述したようにグループ分けされたフォルダを格納する親フォルダのアイコン（不図示）を選択する操作を行うか、もしくは当該親フォルダの名称（たとえば、ディレクトリ名など）を入力する操作を行うことによって起動する。
【００２２】
図３のステップＳ３１において、ＣＰＵ１１は、親フォルダ内のフォルダ数が複数か否かを判定する。ＣＰＵ１１は、複数のフォルダが含まれている場合にステップＳ３１を肯定判定してステップＳ３２へ進む。ステップＳ３２へ進む場合は、上述したグループ分けのフォルダが複数個生成されている場合である。一方、ＣＰＵ１１は、フォルダが１つの場合にステップＳ３１を否定判定してステップＳ３８へ進む。ＣＰＵ１１は、フォルダが０の場合にステップＳ３１を否定判定し、図３による処理を終了する。フォルダが０の場合は、アイコンを生成して表示するフォルダがないので、表示処理を終了する。
【００２３】
ステップＳ３２において、ＣＰＵ１１は、各フォルダに対応するアイコンをそれぞれ生成してステップＳ３３へ進む。生成したアイコンは、たとえば、イメージデータとしてメモリ１２に格納しておく。ステップＳ３３において、ＣＰＵ１１は、各フォルダに格納されている画像データファイル数をカウントしてステップＳ３４へ進む。ステップＳ３４において、ＣＰＵ１１は、各フォルダのファイル数に応じて各フォルダに対応するアイコンの高さを変更し、ステップＳ３５へ進む。ＣＰＵ１１は、ファイル数が多いフォルダを示すアイコンの高さを高く、ファイル数が少ないフォルダを示すアイコンの高さを低くする。たとえば、最もファイル数が多いフォルダを示すアイコンの高さと、最もファイル数が少ないフォルダを示すアイコンの高さとを先に決定し、他のフォルダを示すアイコンの高さをファイル数に比例させて決定する。高さを変更したアイコンは、イメージデータとしてメモリ１２に格納しておく。
【００２４】
ステップＳ３５において、ＣＰＵ１１は、各フォルダに格納されている画像データファイルの生成月が異なるか否かを判定する。ＣＰＵ１１は、画像データファイルが当該画像データの撮影日時に応じて月ごとにグループ分けして格納されている場合に、ステップＳ３５を肯定判定してステップＳ３６へ進む。一方、ＣＰＵ１１は、画像データファイルが月ごとにグループ分けして格納されていない場合に、ステップＳ３５を否定判定してステップＳ３７へ進む。
【００２５】
ステップＳ３６において、ＣＰＵ１１は、各フォルダに格納されている画像データファイルの生成月（撮影日時）に応じて各フォルダに対応するアイコンの順番を並べ替えてステップＳ３７へ進む。ＣＰＵ１１は、たとえば、生成月が古い画像データファイルが格納されているフォルダを示すアイコンを左に、格納されている画像データファイルの生成月が新しいフォルダほどアイコンを右にする。並び替えたアイコンは、イメージデータとしてメモリ１２に格納しておく。
【００２６】
ステップＳ３７において、ＣＰＵ１１は、メモリ１２に格納したイメージデータを表示回路１５へ送り、フォルダアイコンとともにフォルダの名称をディスプレイ装置１６に表示するように表示回路１５に指示を送り、図３による処理を終了する。これにより、ディスプレイ装置１６に図２のフォルダアイコンが表示される。
【００２７】
ステップＳ３８において、ＣＰＵ１１は、フォルダに対応するアイコンを生成してステップＳ３９へ進む。生成したアイコンは、たとえば、イメージデータとしてメモリ１２に格納しておく。ステップＳ３９において、ＣＰＵ１１は、フォルダに格納されている画像データファイル数をカウントしてステップＳ４０へ進む。ステップＳ４０において、ＣＰＵ１１は、フォルダのファイル数に応じてフォルダに対応するアイコンの高さを変更し、ステップＳ３７へ進む。ＣＰＵ１１は、たとえば、ファイル数が５０個以上、１０個以上５０個未満、１０個未満をそれぞれ示す３段階のアイコンの高さをあらかじめ定めておき、カウントしたファイル数に応じて３段階のアイコンの高さのいずれかを選択する。高さを変更したアイコンは、イメージデータとしてメモリ１２に格納しておく。
【００２８】
以上説明した第一の実施の形態ついてまとめる。
（１）画像データファイルを格納したフォルダを示すフォルダアイコン１〜フォルダアイコン８を、画面左から順に時系列に整列させて表示するようにしたので、時系列に整列させない場合に比べて、フォルダに格納されている画像データ（ファイル）の新旧の関係をわかりやすく表示できる。
【００２９】
（２）画像データファイルを格納したフォルダを示すフォルダアイコン１〜フォルダアイコン８を、それぞれのフォルダ内に格納されている画像データファイル数に応じた高さに表示するようにした。ファイル数が最も少ないフォルダのアイコン３の高さを最も低く、ファイル数が最も多いフォルダのアイコン２の高さを最も高くする。この結果、フォルダに格納されている画像データファイル数の大小の関係をわかりやすく表示できる。
【００３０】
（３）画像データファイルを格納したフォルダを示すフォルダアイコン１〜フォルダアイコン８を、それぞれのフォルダの名称「２００１．３」、「２００１．４」、…、「２００１．９」、「２００１．１０」とともに表示するようにした。名称を縦に表示したので、名称表示がフォルダアイコンからはみ出すことがなく、フォルダアイコンと名称との対応をわかりやすく表示できる。
【００３１】
上述した第一の実施の形態では、撮影日時に対応する月ごとのフォルダを生成し、各画像データを該当するフォルダ内に記録し、このようにグループ分けしたフォルダを示すアイコンをそれぞれ表示するようにした。フォルダの生成は月ごとでなくてもよく、１週間ごとのフォルダでも、２ヶ月ごとのフォルダでもよい。
【００３２】
図２の表示例では２００１年３月〜２００１年１０月を示すフォルダアイコン１〜フォルダアイコン８のみを表示したが、表示するアイコンの数、すなわち、時系列に表示する範囲は任意に設定してよい。使用するディスプレイ装置１６の表示範囲の都合で一度に表示できないときは、スクロール表示させるとよい。
【００３３】
アイコンが示すフォルダに格納されている画像データファイル数が少ない場合にアイコンの高さを低くするが、少なくともフォルダの名称の表示スペースが確保できる高さに制限するとよい。これにより、フォルダの名称が見づらくなることを防止できる。
【００３４】
画像データファイルを格納したフォルダを示すフォルダアイコン１〜フォルダアイコン８は、画面左から右へ時系列に整列させて表示するようにしたが、画面下から上（もしくは上から下）へ時系列に整列させて表示してもよい。この場合には、それぞれのフォルダ内に格納されている画像データファイル数に応じて、アイコンの横方向の長さを変えるとよい。
【００３５】
以上の説明では、データ量の大小をファイル数の大小で表す例を説明した。すなわち、アイコンの高さをフォルダに格納されている画像データファイル数に応じて変化させるようにした。この代わりに、データ量の大小をデータサイズの大小で表してもよい。この場合には、フォルダに格納されている全ての画像データの総和のデータサイズが最も小さいフォルダのアイコンの高さを最も低く、総和のデータサイズが最も大きいフォルダのアイコンの高さを最も高くする。
【００３６】
アイコンの形を変形する例として、フォルダ内に格納されている画像データファイル数に応じてアイコンの高さを変更するようにしたが、アイコンの幅や大きさを変えてもよい。アイコンの形状を変えることによってその面積を変化させ、ファイル数が多いアイコンを広い面積で示し、ファイル数が少ないアイコンを狭い面積で示せばよい。
【００３７】
図形を長方形のアイコンとして表す例を説明したが、三角形や五角形などの多角形、あるいは円で表してもよい。アイコンをいずれの形状にする場合でも、フォルダ内に格納されている画像データファイル数に応じて、アイコンの幅、高さなどを変えるようにする。
【００３８】
画像データ（ファイル）は静止画像のデータでも動画像のデータでもよい。動画像のデータの場合は、たとえば、１秒間のデータを１データファイルに換算することにより、静止画像の場合と同様にデータ量表示を行うことができる。
【００３９】
（第二の実施の形態）
第一の実施の形態は、操作者が撮影日時に対応する月ごとのフォルダを生成し、各画像データ（ファイル）を該当するフォルダ内に格納する操作を行ってから、データ量表示装置が上記フォルダを示すアイコンをそれぞれ表示するようにした。画像データ（ファイル）のグループ分けと、画像データ（ファイル）が格納されるフォルダとは１対１に対応する。第二の実施の形態は、画像データ（ファイル）のグループ分けと、画像データ（ファイル）が格納されるフォルダとは１対１に対応しない。換言すると、同一の画像データ（ファイル）を複数のグループに含めてよい。
【００４０】
図４は、第二の実施の形態によるデータ量表示装置がディスプレイ装置１６に表示した画面の例を示す図である。図４において、第１のウィンドウ４１と、第２のウィンドウ４２とが表示されている。第１のウィンドウ４１において、グループアイコン２Ａは、２００１年４月に撮影された画像データファイルのグループを示すアイコンである。以下同様に、グループアイコン３Ａ〜グループアイコン７Ａは、それぞれ２００１年５月〜２００１年９月に撮影された画像データファイルのグループを示すアイコンである。
【００４１】
グループアイコン２Ａ〜グループアイコン７Ａは、画面左から順に時系列に整列されている。グループアイコン２Ａ〜グループアイコン７Ａの高さは、それぞれのグループを構成する画像データファイル数に応じた高さに表示されている。ファイル数が最も少ないグループアイコン３Ａの高さが最も低く、ファイル数が最も多いグループアイコン２Ａの高さが最も高い。グループアイコン２Ａ〜グループアイコン７Ａは縦に長い形状なので、それぞれグループの名称「２００１．４」、…、「２００１．９」が縦に表示されている。
【００４２】
第２のウィンドウ４２において、グループアイコン１２Ａは、２０００年４月〜９月に撮影された画像データファイルのグループを示すアイコンである。グループアイコン１３Ａは、２０００年１０月〜２００１年３月に撮影された画像データファイルのグループを示すアイコンである。グループアイコン１４Ａは、２００１年４月〜９月に撮影された画像データファイルのグループを示すアイコンである。グループアイコン１５Ａは、２００１年１０月〜２００２年３月に撮影された画像データファイルのグループを示すアイコンである。
【００４３】
グループアイコン１２Ａ〜グループアイコン１５Ａは、画面左から順に時系列に整列されている。グループアイコン１２Ａ〜グループアイコン１５Ａの高さは、それぞれのグループを構成する画像データファイル数に応じた高さに表示されている。ファイル数が最も少ないグループアイコン１２Ａの高さが最も低く、ファイル数が最も多いグループアイコン１３Ａの高さが最も高い。グループアイコン１２Ａ〜グループアイコン１５Ａは縦に長い形状なので、それぞれグループの名称「２０００」、「２０００−２００１」、「２００１」、「２００１−２００２」が縦に表示されている。
【００４４】
操作者は、第２のウィンドウ４２がディスプレイ装置１６に表示されている状態で操作部材１４を操作し、閲覧したい画像データファイルが含まれているグループを示すアイコンをアイコン１２Ａ〜アイコン１５Ａの中から選択する。グループアイコンの高さが高い期間は撮影駒数が多いので、操作者（デジタルカメラの撮影者）が何らかのイベントに参加した可能性が高い。画像データファイル数が多い期間のグループアイコンの高さを高く表示することで、撮影駒数が多い期間をわかりやすく表示できる。操作者は、その期間から参加したイベントを思い出すことができ、イベントがわかればそのアイコンが示すグループに含まれている画像データファイルに何が写っているかを思い出すきっかけになる。
【００４５】
操作者が操作部材１４を操作することによってポインタ（不図示）をグループアイコン１４Ａに重ね、グループアイコン１４Ａを選択する操作を行うと、ＣＰＵ１１は、アイコン１４Ａが示すグループを構成する月別のグループアイコンを表示する第１のウィンドウ４１をディスプレイ装置１６にさらに表示させる。このとき、第２のウィンドウ４２内のアイコン１４Ａは、選択されていることがわかるように、たとえば、輝度を下げて他のアイコンと異なる態様で表示する。輝度を変える代わりに色を変えてもよい。
【００４６】
操作者は、第１のウィンドウ４１がディスプレイ装置１６に表示されている状態で操作部材１４を操作し、閲覧したい画像データファイルが含まれているグループを示すアイコンをアイコン２Ａ〜アイコン７Ａの中からさらに選択する。画像データファイル数が多い月のグループアイコンの高さを高く表示することで、撮影駒数が多い月をわかりやすく表示できる。操作者は、その月から参加したイベントを思い出すことができ、イベントがわかればそのアイコンが示すグループに含まれている画像データファイルに何が写っているかを思い出すきっかけになる。
【００４７】
操作者が操作部材１４を操作することによってポインタ（不図示）をグループアイコン４Ａに重ね、グループアイコン４Ａを選択する操作を行うと、ＣＰＵ１１は、アイコン４Ａが示すグループを構成する全ての画像データ（ファイル）について、各画像データ（ファイル）をそれぞれ示すアイコン（不図示）をディスプレイ装置１６にさらに表示させる。
【００４８】
操作者が操作部材１４を操作することによってポインタ（不図示）を任意の画像データファイルを示すアイコン（不図示）に重ね、このアイコンを選択する操作を行うと、ＣＰＵ１１は、選択されたアイコン（不図示）が示す画像データ（ファイル）をデータストレージ装置１３から読出し、読出した画像データによる画像をディスプレイ装置１６に表示させる。
【００４９】
このように、操作者がアイコンを選択する操作を行うだけで、任意の画像データファイルによる画像をディスプレイ装置１６で閲覧できる。
【００５０】
図５は、データ量表示装置が図４の表示を行うとき、ＣＰＵ１１によって行われる処理の流れを説明するフローチャートである。図５による処理は、操作者が操作部材１４を操作することにより、上述したような６ヶ月ごとのウィンドウ４２、もしくは１ヶ月ごとのウィンドウ４１の表示を指示する操作を行うことによって起動する。
【００５１】
図５のステップＳ５１において、ＣＰＵ１１は、グループ分け期間に応じてグループ分けを行い、ステップＳ５２へ進む。ＣＰＵ１１は、ストレージ装置１３に格納されている画像データファイルについて、その撮影日時に対応して６ヶ月ごと、もしくは１ヶ月ごとの期間でグループ分けする。ＣＰＵ１１は、グループ分けの結果をメモリ１２に格納しておく。ステップＳ５２において、ＣＰＵ１１は、上記グループ分け後に画像データファイルを含むグループが複数存在するか否かを判定する。ＣＰＵ１１は、画像データファイルを含むグループが少なくとも２つ（複数）存在する場合に、ステップＳ５２を肯定判定してステップＳ５３へ進む。一方、ＣＰＵ１１は、画像データファイルを含むグループが１つの場合に、ステップＳ５２を否定判定してステップＳ５８へ進む。ＣＰＵ１１は、グループが０の場合にステップＳ５２を否定判定し、図５による処理を終了する。グループが０の場合は、グループに該当する画像データファイルが存在しないので、表示処理を終了する。
【００５２】
ステップＳ５３において、ＣＰＵ１１は、各グループに対応するアイコンをそれぞれ生成してステップＳ５４へ進む。生成したアイコンは、たとえば、イメージデータとしてメモリ１２に格納しておく。ステップＳ５４において、ＣＰＵ１１は、各グループに含まれている画像データファイル数をカウントしてステップＳ５５へ進む。ステップＳ５５において、ＣＰＵ１１は、各グループのファイル数に応じて各グループに対応するアイコンの高さを変更し、ステップＳ５６へ進む。ＣＰＵ１１は、ファイル数が多いグループを示すアイコンの高さを高く、ファイル数が少ないグループを示すアイコンの高さを低くする。高さを変更したアイコンは、イメージデータとしてメモリ１２に格納しておく。
【００５３】
ステップＳ５６において、ＣＰＵ１１は、各グループに含まれている画像データファイルの生成月（撮影日時）に応じて各グループに対応するアイコンの順番を並べ替えてステップＳ５７へ進む。ＣＰＵ１１は、たとえば、生成月が古い画像データファイルを含むグループのアイコンを左に、含まれている画像データファイルの生成月が新しいグループのアイコンを右にする。並び替えたアイコンは、イメージデータとしてメモリ１２に格納しておく。
【００５４】
ステップＳ５７において、ＣＰＵ１１は、メモリ１２に格納したイメージデータを表示回路１５へ送り、グループアイコンとともにグループの名称をディスプレイ装置１６に表示するように表示回路１５に指示を送り、図５による処理を終了する。これにより、ディスプレイ装置１６に図４のグループアイコンが表示される。
【００５５】
ステップＳ５８において、ＣＰＵ１１は、グループに対応するアイコンを生成してステップＳ５９へ進む。生成したアイコンは、たとえば、イメージデータとしてメモリ１２に格納しておく。ステップＳ５９において、ＣＰＵ１１は、グループに含まれている画像データファイル数をカウントしてステップＳ６０へ進む。ステップＳ６０において、ＣＰＵ１１は、グループのファイル数に応じてアイコンの高さを変更し、ステップＳ５７へ進む。ＣＰＵ１１は、たとえば、ファイル数が５０個以上、１０個以上５０個未満、１０個未満をそれぞれ示す３段階のアイコンの高さをあらかじめ定めておき、カウントしたファイル数に応じて３段階のアイコンの高さのいずれかを選択する。高さを変更したアイコンは、イメージデータとしてメモリ１２に格納しておく。
【００５６】
以上説明した第二の実施の形態ついてまとめる。
（１）画像データファイルをグループ分けしたグループを示すグループアイコン２Ａ〜グループアイコン７Ａ（１２Ａ〜１５Ａ）を、画面左から順に時系列に整列させて表示するようにしたので、時系列に整列させない場合に比べて、グループを構成する画像データ（ファイル）の新旧の関係をわかりやすく表示できる。
【００５７】
（２）画像データファイルをグループ分けしたグループを示すグループアイコン２Ａ〜グループアイコン７Ａ（１２Ａ〜１５Ａ）を、それぞれのグループを構成する画像データファイル数に応じた高さに表示するようにした。ファイル数が最も少ないグループのアイコンの高さを最も低く、ファイル数が最も多いグループのアイコンの高さを最も高くする。この結果、グループを構成する画像データファイル数の大小の関係をわかりやすく表示できる。
【００５８】
（３）グループアイコン２Ａ〜グループアイコン７Ａ（１２Ａ〜１５Ａ）を、それぞれのグループの名称とともに表示するようにした。名称を縦に表示したので、名称表示がグループアイコンからはみ出すことがなくグループアイコンと名称との対応をわかりやすく表示できる。
【００５９】
（４）グループ分けは、画像データファイルの撮影日時に対応して６ヶ月ごと、もしくは１ヶ月ごとの期間で行うようにしたので、６ヶ月ごとの期間のグループ分けによるアイコン表示（ウィンドウ４２）や、１ヶ月ごとの期間のグループ分けによるアイコン表示（ウィンドウ４１）を任意に行うことができる。また、ウィンドウ４２のアイコン群（１２Ａ〜１５Ａ）の中で任意のアイコンをポインタで選択すると、該当するアイコンが示すグループをさらにグループ分けしたアイコン群（２Ａ〜７Ａ）をウィンドウ４１に表示するので、使い勝手のよいデータ量表示装置が得られる。さらに、ポインタで選択したアイコン１４Ａを他のアイコン（１２Ａ、１３Ａ、１５Ａ）と異なる態様で表示したので、ウィンドウ４１および４２の関係がわかりやすい。
【００６０】
グループ分け期間は、上述した６ヶ月ごとや１ヶ月ごとに限らず、１週間ごとや１年ごとなどの期間で行ってもよい。
【００６１】
ウィンドウ４１およびウィンドウ４２で２つのグループ分け表示を行うようにしたが、さらに多くのグループ分けを行ってもよい。この場合には、それぞれのグループ分け表示するためのウィンドウをさらに増やしてよい。
【００６２】
以上の説明では、画像データファイルによるデータ量を表示するものを説明したが、画像データに限らず、音声データ、統計データなどの各種データのデータ量表示にも本発明を適用することができる。
【００６３】
上述した説明では、データ量表示装置をパソコンで構成する例を説明したが、電子カメラにデータ量表示を行わせるようにしてもよい。
【００６４】
パソコンでデータ量表示処理を実行させるには、図３もしくは図５による処理を行うデータ量表示処理用プログラムを用意し、このプログラムをパソコンにインストールして画像データ量表示装置として使用する。プログラムのローディングは、プログラムを格納した記録媒体をパソコンにセットして行ってもよいし、ネットワークを経由してパソコンにローディングする方法でもよい。
【００６５】
特許請求の範囲における各構成要素と、発明の実施の形態における各構成要素との対応について説明する。図形は、たとえば、アイコン１〜８，２Ａ〜７Ａ，１２Ａ〜１５Ａが対応する。図形生成手段、第１の図形群生成手段、第２の図形群生成手段、図形変形手段、第１の図形変形手段、第２の図形変形手段、および図形整列手段は、たとえば、ＣＰＵ１１によって構成される。表示手段は、たとえば、表示回路１５およびディスプレイ装置１６によって構成される。なお、本発明の特徴的な機能を損なわない限り、各構成要素は上記構成に限定されるものではない。
【００６６】
【発明の効果】
本発明によれば、図形が示すグループを構成するデータ量の大小をわかりやすく示すことができる。
【図面の簡単な説明】
【図１】本発明の第一の実施の形態によるデータ量表示装置を構成するパソコンのブロック図である。
【図２】ディスプレイ装置に表示された画面の例を示す図である。
【図３】ＣＰＵによって行われる処理の流れを説明するフローチャートである。
【図４】第二の実施の形態によるデータ量表示装置のディスプレイ装置に表示された画面の例を示す図である。
【図５】ＣＰＵによって行われる処理の流れを説明するフローチャートである。
【符号の説明】
１〜８，２Ａ〜７Ａ，１２Ａ〜１５Ａ…アイコン、
１１…ＣＰＵ、　　　　　　　　　　　１２…メモリ、
１３…ストレージ装置、　　　　　　　１４…操作部材、
１５…表示回路、　　　　　　　　　　１６…ディスプレイ装置、
１７…読取り装置、　　　　　　　　　２１…記録媒体（メモリカード）、
４１，４２…ウィンドウ
【図１】
2004078484.tif 000003
【図２】
2004078484.tif 000004
【図３】
2004078484.tif 000005
【図４】
2004078484.tif 000006
【図５】
2004078484.tif 000007